【事件の表示】
　特願２０１６−５４４３１４「モバイル装置の位置を推定する装置、システム、及び方法」拒絶査定不服審判事件〔平成２７年　４月３０日国際公開、ＷＯ２０１５／０６０８８３、平成２８年１２月　８日国内公表、特表２０１６−５３８５６８、請求項の数（２１）〕について、次のとおり審決する。
【結　論】
　原査定を取り消す。
　本願の発明は、特許すべきものとする。
【理　由】
第１　手続の経緯
　本願は、２０１３年（平成２５年）１２月１９日（パリ条約による優先権主張外国庁受理２０１３年１０月２１日（以下「優先日」という。）、アメリカ合衆国）を国際出願日とする出願であって、その手続の経緯は以下のとおりである。
平成２８年　５月　２日　　：手続補正書の提出
平成２９年　２月１０日付け：拒絶理由通知書
平成２９年　５月１６日　　：意見書、手続補正書の提出
平成２９年１０月１１日付け：拒絶査定（以下「原査定」という。送達日：
　　　　　　　　　　　　　　同年同月１７日）
平成３０年　１月３１日　　：審判請求書、手続補正書の提出
平成３０年１０月　９日付け：拒絶理由通知書（以下「当審拒絶理由」とい
　　　　　　　　　　　　　　う。発送日：同年同月１６日）
平成３１年　１月１６日　　：意見書、手続補正書の提出
第２　原査定の概要
　原査定の概要は次のとおりである。
（進歩性）この出願の下記の請求項に係る発明は、その優先日前に日本国内又は外国において、頒布された刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項１−２２
・引用文献１−２
　　　　　　　　　　　　　　＜引用文献等一覧＞
１．特開２０１１−２４７７３８号公報
２．POLK,J. 外３名，“Dynamic Host Configuration Protocol Options Coordinate-Based Location Configuration Information”, RFC [online][ISSN:2070-1721], RFC6225, インターネット DOI:10.17487/RFC6225
第３　当審拒絶理由の概要
　当審拒絶理由の概要は次のとおりである。
　本件出願の下記の請求項に係る発明は、その優先日前に日本国内又は外国において、頒布された刊行物に記載された発明又は電気通信回線を通じて公衆に利用可能となった発明に基づいて、その優先日前にその発明の属する技術の分野における通常の知識を有する者が容易に発明をすることができたものであるから、特許法第２９条第２項の規定により特許を受けることができない。
 　　　　　記　　　（引用文献等については引用文献等一覧参照） 
・請求項　１〜２２
・引用文献等　１〜２ 
　　　　　　　　　　　　　＜引用文献等一覧＞
１．国際公開第２０１２／０４７７６７号 
２．Emily Qi, et al.、“RRM Security Requirement Assessment”、「IEEE 802.11-04/0482r1」、２００５年３月、page 1-page 7、＜URL:https://mentor.ieee.org/802.11/dcn/04/11-04-0482-01-000k-rrm-security-requirement.doc＞ 
第４　本願発明
　本願の請求項１−２１に係る発明（以下、それぞれ「本願発明１」−「本願発明２１」という。）は、平成３１年１月１６日付けの手続補正（以下「本件補正」という。）で補正された特許請求の範囲の請求項１−２１に記載された事項により特定される発明であり、本願発明１、８、１３は以下のとおりの発明である。
「【請求項１】
　回路を含む装置であって、前記回路は第１の局に、
　第２の局へＬＣＩ（Location　Configuration　Information）要求を送信させ、前記ＬＣＩ要求は前記第２の局に対応する位置情報の位置要求の指示を有し、
　前記第２の局からＬＣＩ報告を受信させ、前記ＬＣＩ報告は、原点に対する前記第２の局の位置誤差を示すよう構成される相対位置誤差部分要素を含み、前記原点は前記第２の局と異なる第３の局に対応し、
　前記位置誤差に少なくとも部分的に基づき前記第１の局の位置を推定させる、
　装置。」
「【請求項８】
　プロセッサにより実行されると、前記プロセッサは第１の局に、
　第２の局へＬＣＩ（Location　Configuration　Information）要求を送信させ、前記ＬＣＩ要求は前記第２の局に対応する位置情報の位置要求の指示を有し、
　前記第２の局からＬＣＩ報告を受信させ、前記ＬＣＩ報告は、原点に対する前記第２の局の位置誤差を示すよう構成される相対位置誤差部分要素を含み、前記原点は前記第２の局と異なる第３の局に対応し、
　前記位置誤差に少なくとも部分的に基づき前記第１の局の位置を推定させる、
　コンピュータプログラム。」
「【請求項１３】
　アクセスポイント（ＡＰ）において実行される方法であって、前記方法は、
　モバイル装置からＬＣＩ（Location　Configuration　Information）要求を受信するステップであって、前記ＬＣＩ要求は前記ＡＰに対応する位置情報の位置要求の指示を有する、ステップと、
　前記ＬＣＩ要求に応答して、前記モバイル装置へＬＣＩ報告を送信するステップであって、前記ＬＣＩ報告は、原点に対する前記ＡＰの位置誤差を示すよう構成される相対位置誤差部分要素を含み、前記原点は前記ＡＰと異なる局に対応する、ステップと、
　を有する方法。」
　なお、本願発明２−７は、本願発明１を減縮した発明であり、
　本願発明９−１２、２０は、本願発明８を減縮した発明であり、
　本願発明１４−１９、２１は、本願発明１３を減縮した発明である。
第５　引用文献、引用発明等
１．引用文献Ａについて
（１）当審拒絶理由において引用された国際公開第２０１２／０４７７６７号（以下「引用文献Ａ」という。）には、図面とともに次の事項が記載されている。原文の引用の後に日本語訳を記載する。日本語訳は引用文献Ａのパテントファミリーである公表特許公報（特表２０１３−５４５０８０号公報）による。（下線は当審による。以下同様。）
「[0005] ・・・ Such measurements and the computation of a location estimate, in the case that these are obtained by the device, may be enabled or assisted by transferring location related information, sometimes referred to as assistance data, from a network (e.g. from a location server attached to or within a network) to the device. Assistance data transferred to a mobile device can include various types of data including data related to a serving network and map data related to the geographic area the mobile device is located within. For example, a mobile device may receive information indicating locations of a set of nearby base stations in the serving network and may estimate a location of the mobile device by measuring signals from some of the base stations. As another example, a mobile device may include an application that enables a user to navigate based on map data and based on an estimated location of the mobile device. However, 
different types of location related information (e.g. base station locations, Wi-Fi access point locations), as well as different types of map data, may be provided by different information providers using different proprietary layouts and data structures
a mobile device may be unable to relate the positions of the base stations with the positions of the Wi-Fi access points
may be unable to relate the positions of bases stations or Wi-Fi access points to physical objects and structures (e.g. buildings, walls, floors) that may influence how signals will be detected and measured
（【０００５】　・・・このような測定およびロケーション推定の計算は、それらがデバイスにより取得されるケースでは、時に、支援データと呼ばれる、ネットワークから（例えば、ネットワークにアタッチされているロケーションサーバまたはネットワーク内のサーバから）のロケーション関連情報をデバイスに転送することによって、可能にしてもまたは支援されてもよい。移動体デバイスに転送される支援データは、担当ネットワークに関連するデータ、および、移動体デバイスが位置付けられている地理的なエリアに関連するマップデータを含む、さまざまなタイプのデータを含めることができる。例えば、移動体デバイスは、担当ネットワーク中の近くの基地局のセットのロケーションを示す情報を受信してもよく、基地局のうちのいくつかからの信号を測定することにより、移動体デバイスのロケーションを推定してもよい。別の例として、移動体デバイスは、ユーザが、マップデータに基づいて、および、移動体デバイスの推定されたロケーションに基づいて、ナビゲートすることを可能にするアプリケーションを含んでもよい。しかしながら、
異なるタイプのロケーション関連情報（例えば、基地局のロケーション、Ｗｉ−Ｆｉアクセスポイントのロケーション）とともに、異なるタイプのマップデータは、異なる情報プロバイダにより、異なる独占的レイアウトおよびデータ構造を使用して提供されてもよい
移動体デバイスは、基地局のポジションをＷｉ−Ｆｉアクセスポイントのポジションと関係付けることができないかもしれず
基地局またはＷｉ−Ｆｉアクセスポイントのポジションを、信号がどのように検出または測定されるかに影響を与えるかもしれない物理的なオブジェクトまたは構造（例えば、建物、壁、フロア）と関連付けることができないかもしれない
「[0007] In a particular embodiment, a method includes receiving a first set of location data and a second set of location data at a mobile device. The method includes locating a common reference point identifier that is included in the first and second sets of location data. The common reference point identifier identifies a common reference point. The method includes identifying first information in the first set of location data that is associated with the common reference point. The method also includes identifying second information in the second set of location data that is associated with the common reference point and 
spatially aligning the first set of location data with the second set of location data based on the common reference point to associate the first information with the second information
（【０００７】　特定の実施形態では、方法は、移動体デバイスにおいて、ロケーションデータの第１のセットおよびロケーションデータの第２のセットを受信することを含む。方法は、ロケーションデータの第１および第２のセット中に含まれている共通基準点識別子を位置付けることを含む。共通基準点識別子は共通基準点を識別する。方法は、共通基準点に関係付けられている、ロケーションデータの第１のセット中の第１の情報を識別することを含む。方法はまた、共通基準点に関係付けられている、ロケーションデータの第２のセット中の第２の情報を識別することと、
共通基準点に基づいて、ロケーションデータの第１のセットをロケーションデータの第２のセットと空間的に調整して、第１の情報を第２の情報と関係付ける
「[0039] Referring to FIG. 1, a system illustrating use of reference points for location information is depicted and generally designated 100. 
The system 100 includes a mobile device 102 in communication with a location server 130 via a network 120
（【００３０】　図１を参照すると、ロケーション情報のための基準点の使用を図示するシステムが図示され、一般的に１００と指定されている。
システム１００は、ネットワーク１２０を介してロケーションサーバ１３０と通信し
移動体デバイス１０２を備える
「[0040] ・・・ 
The system 100 includes multiple wireless local area network (WLAN) access points, such as a first WLAN access point 140 and a second WLAN access point 142. Each of the WLAN access points may be coupled to a network 120
a fourth reference point D 156 is co-located with the first WLAN access point 140
（【００３１】・・・
システム１００は、第１のＷＬＡＮアクセスポイント１４０および第２のＷＬＡＮアクセスポイント１４２のような、複数のワイヤレスローカルエリアネットワーク（ＷＬＡＮ）アクセスポイントを含む。ＷＬＡＮアクセスポイントのそれぞれは、ネットワーク１２０に結合されてもよく
第４の基準点“Ｄ”１５６は、第１のＷＬＡＮアクセスポイント１４０と同じ場所に位置付けられている
「[0041] 
The mobile device 102 may be configured to receive information, such as geographic data and/or assistance data 134, via a location session 132 with the location server 130
（【００３２】　
移動体デバイス１０２は、ロケーションサーバ１３０とのロケーションセッション１３２を介して、地理的なデータおよび／または支援データ１３４のような、情報を受信するように構成されていてもよい
「[0044] ・・・ 
The mobile device 102
determine its relative location 170 relative to the reference point A 150 using combined data including
locations and transmission characteristics of access points
（【００３５】　・・・
移動体デバイス１０２は
アクセスポイントのロケーションおよび送信特性
を含む組み合わせられたデータを使用して、基準点Ａ１５０に対するその相対ロケーション１７０を決定して
「[0047] ・・・ To illustrate, locations of the base stations 122, 124, 126 may be provided relative to reference point B 152, while locations of the access points 140 and 142 may be provided relative to reference point D 156. ・・・」
（【００３８】　・・・図示するために、基準点Ｂ１５２に対して、基地局１２２、１２４，１２６のロケーションが提供されてもよい一方で、基準点Ｄ１５６に対して、アクセスポイント１４０および１４２のロケーションが提供されてもよい。・・・）
「[0050] ・・・ A definition of a reference point may include a globally unique name or identity, location coordinates (e.g. latitude, longitude, altitude) of the reference point, 
any uncertainty (e.g. possible error) in this location
（【００４１】　・・・基準点の定義は、グローバルに一意的な名称および識別、基準点のロケーション座標（例えば、緯度、経度、高度）、
このロケーションにおける何らかの不確実性（例えば、可能性ある誤差）
「[0068] ・・・ The location server 130 of FIG. 1 may send an LPP/LPPe request capabilities message 302 to 
the mobile device
also referred to as
UE
information elements (IEs)
（【００５９】・・・図１のロケーションサーバ１３０は、ＬＰＰ／ＬＰＰｅ要求能力メッセージ３０２を図１の
移動体デバイス
ＵＥ
とも呼ばれる
情報エレメント（ＩＥ）
「[0069] Referring to FIG. 4, a diagram of LPP/LPPe messaging 
including assistance data with reference point information
The UE 102 may send an LPP/LPPe request assistance data message 402 to the location server 130. In response to the request assistance data message 402, the location server 130 may send an LPP/LPPe provide assistance data message 404
（【００６０】　図４を参照すると、
基準点情報を持つ支援データを含む
ＵＥ１０２は、ＬＰＰ／ＬＰＰｅ要求支援データメッセージ４０２をロケーションサーバ１３０に送ってもよい。要求支援データメッセージ４０２に応答して、ロケーションサーバ１３０は、ＬＰＰ／ＬＰＰｅ提供支援データメッセージ４０４を送ってもよい
（
）
「[0074] As a specific example of providing assistance data including reference point information, 
the location server 130 may provide access point (AP) assistance data
WLAN AP assistance data may be provided in an LPPe Provide Assistance Data message 404 via a data set containing
IEs
such as those shown in Table 7
・・・
・・・
TABLE 7 - Possible IEs for LPPe WLAN assistance data」
（【００６９】　基準点情報を含む支援データを提供する特有な例として、
ロケーションサーバ１３０は
アクセスポイント（ＡＰ）支援データを提供してもよい
ＷＬＡＮ ＡＰ支援データは、表７中に示されているもののような
ＩＥを含むデータセットを介して、ＬＰＰｅ提供支援データメッセージ４０４中で提供されてもよい
【表７】
・・・
【００７０】・・・
・・・
【００７２】・・・
表７−ＬＰＰｅ ＷＬＡＮ支援データに対する可能性あるＩＥ）
「[0076] In Table 7, 
the relative-location IE may provide the location and
uncertainty in location of a WLAN AP relative to a reference point
（【００７４】　表７中では、
“relative-location”ＩＥは、基準点
に対するＷＬＡＮ ＡＰのロケーションと、基準点に対するＷＬＡＮ ＡＰのロケーション
の不確実性とを提供してもよい
「[0089] ・・・ and the reference point D 156 may provide a reference point for the relative locations of the access points 140 and 142. ・・・」
（【００８８】・・・基準点Ｄ１５６は、アクセスポイント１４０および１４２の相対ロケーションに対する基準点を提供してもよい。・・・）
「[0090] Referring to FIG. 7, a particular embodiment of a method of combining access point assistance data and map data is depicted. WLAN access point assistance data indicating WLAN access point locations relative to a first reference point is received, at 702. For example, 
the mobile device 102
may receive
assistance data 134 including information regarding the access points 140 andl42 relative to a first reference point, such as the reference point D 156
（【００８９】　図７を参照すると、アクセスポイント支援データおよびマップデータを組み合わせる方法の特定の実施形態が描写されている。７０２において、第１の基準点に対するＷＬＡＮアクセスポイントロケーションを示すＷＬＡＮアクセスポイント支援データが受信される。例えば、図１の
移動体デバイス１０２は、基準点Ｄ１５６のような第１の基準点に対するアクセスポイント１４０および１４２に関する情報を含む、
支援データ１３４を受信してもよい
「[0096] FIG. 8 illustrates a block diagram of a particular illustrative embodiment of 
an electronic device 800
The device 800 includes a processor 810
The processor 810 may be a hardware processor that includes 
a reference point locator 888, 
an LPP/LPPe engine 880
the electronic device 800 corresponds to the mobile device 102
corresponds to the UE 102
[0097] The reference point locator 888 may include hardware or dedicated circuitry configured to locate reference point identifier fields in received sets of location data. For example, 
the reference point locator 888
receive
the assistance data 204
 （【００９５】　図８は、基準点を使用するロケーションデータアライナ８８４を備える、
電子デバイス８００
デバイス８００は
プロセッサ８１０を備える
プロセッサ８１０は、
基準点ロケータ８８８、
ＬＰＰ／ＬＰＰｅエンジン８８０を備えるハードウェアプロセッサであってもよい
電子デバイス８００は、
移動体デバイス１０２と対応し
ＵＥ１０２に対応する
【００９６】　基準点ロケータ８８８は、受信されたロケーションデータのセット中に基準点識別子フィールドを位置付けるように構成されている、ハードウェアまたは専用回路を備えてもよい。例として、
基準点ロケータ８８８は、
支援データ２０４
を受信し
「[00100] 
The LPP/LPPe engine 880 may include hardware or dedicated circuitry configured to enable communication with a remote location server via an LPP/LPPe communication protocol
the LPP/LPPe engine 880
generate
the request assistance data message 402
to be sent by the device 800 to a location server, such as the  location server 130
the LPP/LPPe engine 880 may be configured to process
the provide assistance data message 404
that may be received by the device 800 from a location server, such as the location server 130
 （【００９９】　
ＬＰＰ／ＬＰＰｅエンジン８８０は、
ＬＰＰ／ＬＰＰｅ通信プロトコルを介して、遠隔ロケーションサーバとの通信を可能にするように構成されているハードウェアまたは専用回路を備えてもよい
ＬＰＰ／ＬＰＰｅエンジン８８０は、デバイス８００により、ロケーションサーバ１３０のようなロケーションサーバに送るための
要求支援データメッセージ４０２
を発生させ
ＬＰＰ／ＬＰＰｅエンジン８８０は、デバイス８００により、ロケーションサーバ１３０のようなロケーションサーバから受信されてもよい
提供支援データメッセージ４０４
を処理するように構成されていてもよい
（２）したがって、引用文献Ａには次の発明（以下「引用発明」という。）が記載されていると認められる。
「プロセッサ８１０を備えた電子デバイス８００であって、電子デバイス８００は、移動体デバイス１０２、ＵＥ１０２に対応し（[0096]より。公表特許公報では【００９５】が対応。以下「[0096]（【００９５】）」と示す。）、移動体デバイスはＵＥとも呼ばれ（[0068]（【００５９】））、
　プロセッサ８１０は、基準点ロケータ８８８、ＬＰＰ／ＬＰＰｅエンジン８８０を備えるハードウェアプロセッサであり（[0096]（【００９５】））、基準点ロケータ８８８は、支援データ２０４を受信し（[0097]（【００９６】））、ＬＰＰ／ＬＰＰｅエンジン８８０は、ＬＰＰ／ＬＰＰｅ通信プロトコルを介して、遠隔ロケーションサーバとの通信を可能にするように構成されているハードウェアまたは専用回路を備え、デバイス８００により、ロケーションサーバ１３０のようなロケーションサーバに送るための要求支援データメッセージ４０２を発生させ、ロケーションサーバ１３０のようなロケーションサーバから受信される提供支援データメッセージ４０４を処理するように構成され（[00100] （【００９９】））、
　システム１００は、ネットワーク１２０を介してロケーションサーバ１３０と通信する移動体デバイス１０２を備え（[0039]（【００３０】））、システム１００は、第１のＷＬＡＮアクセスポイント１４０および第２のＷＬＡＮアクセスポイント１４２のような、複数のワイヤレスローカルエリアネットワーク（ＷＬＡＮ）アクセスポイントを含み、ＷＬＡＮアクセスポイントのそれぞれは、ネットワーク１２０に結合され（[0040]（【００３１】））、
　ＵＥ１０２は、ＬＰＰ／ＬＰＰｅ要求支援データメッセージ４０２をロケーションサーバ１３０に送り（[0069] （【００６０】））、
　要求支援データメッセージ４０２に応答して、ロケーションサーバ１３０は、基準点情報を持つ支援データを含むＬＰＰ／ＬＰＰｅ提供支援データメッセージ４０４を送り（「[0069]（【００６０】）、FIG.4）、アクセスポイント（ＡＰ）支援データを提供し（[0074]（【００６９】））、
　ＷＬＡＮ ＡＰ支援データは、情報エレメント（ＩＥ）として、基準点に対するＷＬＡＮ ＡＰのロケーションと、基準点に対するＷＬＡＮ ＡＰのロケーションの不確実性とを提供する“relative-location”ＩＥ、を含むデータセットを介して、ＬＰＰｅ提供支援データメッセージ４０４中で提供され（[0068]（【００５９】）、[0074]（【００６９】）、[0076]（【００７４】））、
　移動体デバイス１０２は、基準点Ｄ１５６のような第１の基準点に対するアクセスポイント１４０および１４２に関する情報を含む、支援データ１３４を受信し（[0090]（【００８９】））、第４の基準点“Ｄ”１５６は、第１のＷＬＡＮアクセスポイント１４０と同じ場所に位置付けられており（[0040]（【００３１】））、
　移動体デバイス１０２はアクセスポイントのロケーションおよび送信特性を含む組み合わせられたデータを使用して、基準点Ａ１５０に対するその相対ロケーション１７０を決定する（[0044]（【００３５】））、
　電子デバイス８００（[0096]（【００９５】））。」
２．引用文献Ｂについて
　当審拒絶理由において周知技術を示す文献として引用された、Emily Qi, et al.、“RRM Security Requirement Assessment”、「IEEE 802.11-04/0482r1」、２００５年３月、page 1-page 7、＜URL:https://mentor.ieee.org/802.11/dcn/04/11-04-0482-01-000k-rrm-security-requirement.doc＞（以下「引用文献Ｂ」という。）の「2.8 Location Configuration Information (LCI)」には、要求局から報告局に「Remote LCI」要求を送信すると、その要求を受信した報告局が、報告局の位置を示すＬＣＩ報告を要求局に応答する周知技術が記載されていると認められる。
３．引用文献Ｃについて
（１）原査定の拒絶の理由において引用された特開２０１１−２４７７３８号公報（以下「引用文献Ｃ」という。）には、図面とともに次の事項が記載されている。
「【００１９】
　図１は、
本測位装置１００が適用されるシステム
【００２０】
　該システム
には、アクセスポイント
が含まれ
アクセスポイントは
基地局
と呼ばれてもよい
「【００２５】
　・・・A-GPSでは、
ネットワーク
から測位装置１００が測位を行うために必要とされるデータ
配信される
は、アシスト情報とよばれ
該データには、
基地局のエリア情報
が含まれ
該基地局のエリア情報には、測位装置１００の概略位置情報、該概略位置の誤差に関する情報
が含まれ
「【００４６】
　
本測位装置１００は、測位制御部１０６２を有する
「【００４８】
　
本測位装置１００は、WLAN測位演算部１０６４を有する
「【００５０】
　
本測位装置１００は、信頼性判定部１０６８を有する
【００５１】
　＜信頼性判定方法（その１）＞
　
信頼性判定部１０６８は
入力されたアシスト情報に含まれる基地局のエリア情報に基づいて
【００５２】
　信頼性判定部１０６８は、基地局のエリア情報に基づいて、当該測位装置１００が位置すると想定される領域を求める。例えば、
基地局のエリア情報に含まれる基地局の位置
を
概略位置
とみなし
誤差半径
該基地局の位置の誤差に関する情報に基づいて設定され
【００５３】
　信頼性判定部１０６８は、WLAN測位結果と、概略位置とを比較することによりWLAN測位結果の信頼性を判定する。例えば、
概略位置とWLAN測位結果との間の距離が誤差半径以下である場合には、WLAN測位結果の信頼性が高いと判定する
「【００５５】
　・・・
WLAN測位結果の信頼性が高い場合、該WLAN測位結果を採用する
「【００８６】
　本測位装置１００が搭載された携帯端末装置は、複数のCPUを有するようにしてもよい。例えば、図３に示される機能のうち、
測位制御部１０６２、WLAN測位演算部１０６４、信頼性判定部１０６８
は、
A-CPU
により実行され
「【００８７】
　・・・図８には、
本測位装置１００が携帯端末装置に搭載される
「【００９１】
　携帯端末装置は、
ネットワークに、アシストデータ（アシスト情報）を要求する
測位制御部１０６２は、C-CPUに対してアシストデータを要求する
C-CPUは、
基地局を介して
【００９２】
　
ネットワークは、携帯端末装置に、アシストデータを通知する
（２）したがって、引用文献Ｃには次の技術的事項（以下「引用文献Ｃに記載された技術的事項」という。）が記載されていると認められる。
「携帯端末装置に搭載される本測位装置１００（【００８７】）において、
　本測位装置１００が適用されるシステム（【００１９】）には、アクセスポイントが含まれ、アクセスポイントは基地局と呼ばれてもよく（【００２０】）、
　本測位装置１００は、測位制御部１０６２、WLAN測位演算部１０６４、信頼性判定部１０６８を有し（【００４６】、【００４８】、【００５０】）
　測位制御部１０６２、WLAN測位演算部１０６４、信頼性判定部１０６８は、A-CPUにより実行され（【００８６】）、
　測位制御部１０６２は、C-CPUに対してアシストデータを要求し、C-CPUは、基地局を介して、ネットワークに、アシストデータ（アシスト情報）を要求し（【００９１】）、
　ネットワークは、携帯端末装置に、アシストデータを通知し（【００９２】）、
　ネットワークから配信される、測位装置１００が測位を行うために必要とされるデータは、アシスト情報とよばれ、該データには、基地局のエリア情報が含まれ、該基地局のエリア情報には、測位装置１００の概略位置情報、該概略位置の誤差に関する情報が含まれ（【００２５】）、
　信頼性判定部１０６８は、入力されたアシスト情報に含まれる基地局のエリア情報に基づいて（【００５１】）、基地局のエリア情報に含まれる基地局の位置を概略位置とみなし、該基地局の位置の誤差に関する情報に基づいて誤差半径を設定し（【００５２】）、概略位置とWLAN測位結果との間の距離が誤差半径以下である場合には、WLAN測位結果の信頼性が高いと判定し（【００５３】）、
　WLAN測位結果の信頼性が高い場合、該WLAN測位結果を採用する（【００５５】）、
　本測位装置１００（【００８７】）。」
４．引用文献Ｄについて
　原査定の拒絶の理由において周知技術を示す文献として引用されたPOLK,J. 外３名，“Dynamic Host Configuration Protocol Options Coordinate-Based Location Configuration Information”, RFC [online][ISSN:2070-1721], RFC6225, インターネット DOI:10.17487/RFC6225（以下「引用文献Ｄ」という。）の、「Abstract」、「1.2. Resolution and Uncertainty」には、Dynamic Host Configuration Protocol（DHCP）オプションにおいて、Location Configuration Information (LCI)に、緯度、経度、高度の位置情報とともに、誤差の量である不確かさを含める周知技術が記載され、また、「3. Security Considerations」には、ＤＨＣＰクライアントが要求したときのみ、ＤＨＣＰサーバーからＬＣＩが返信される周知技術が記載されていると認められる。
第６　対比・判断
１．本願発明１について
（１）対比
　本願発明１と引用発明とを対比すると、次のことがいえる。
ア　引用発明の「プロセッサ８１０」、「電子デバイス８００」は、それぞれ、本願発明１の「回路」、「装置」に相当し、引用発明の「プロセッサ８１０を備えた電子デバイス８００」は、本願発明１の「回路を含む装置」に相当する。
　また、引用発明の「移動体デバイス１０２」は、本願発明１の「第１の局」に相当する。なお、引用発明では「移動体デバイスはＵＥとも呼ばれ」るから、引用発明の「ＵＥ１０２」も、本願発明１の「第１の局」に相当する。
イ　引用発明の「第２のＷＬＡＮアクセスポイント１４２」は、本願発明１の「第２の局」に相当する。
ウ　引用発明では、「ＵＥ１０２は、ＬＰＰ／ＬＰＰｅ要求支援データメッセージ４０２をロケーションサーバ１３０に送」るが、引用発明では「電子デバイス８００は、移動体デバイス１０２、ＵＥ１０２に対応」し、また、「プロセッサ８１０を備えた電子デバイス８００」において、「プロセッサ８１０は」「ＬＰＰ／ＬＰＰｅエンジン８８０を備え」、「ＬＰＰ／ＬＰＰｅエンジン８８０は、ＬＰＰ／ＬＰＰｅ通信プロトコルを介して、遠隔ロケーションサーバとの通信を可能にするように構成され」、「デバイス８００により、ロケーションサーバ１３０のようなロケーションサーバに送るための要求支援データメッセージ４０２を発生させ」るように構成されているものである。
　そうすると、引用発明は、「ＵＥ１０２に対応」する「電子デバイス８００」が備える「プロセッサ８１０」が、「ＬＰＰ／ＬＰＰｅエンジン８８０を備え」、「ＬＰＰ／ＬＰＰｅエンジン８８０は、ＬＰＰ／ＬＰＰｅ通信プロトコルを介して、遠隔ロケーションサーバとの通信を可能にするように構成され」、「デバイス８００により、ロケーションサーバ１３０のようなロケーションサーバに送るための要求支援データメッセージ４０２を発生させ」るように構成されていることにより、「ＵＥ１０２は、ＬＰＰ／ＬＰＰｅ要求支援データメッセージ４０２をロケーションサーバ１３０に送」るものであるといえ、このことは、上記アを踏まえると、本願発明１の「前記回路は第１の局に、第２の局へＬＣＩ（Location　Configuration　Information）要求を送信させ」ることと、「前記回路は第１の局に、要求を送信させ」る点で共通する。
　ここで、引用発明における「ＬＰＰ／ＬＰＰｅ要求支援データメッセージ４０２」が、本願発明１の「ＬＣＩ（Location　Configuration　Information）要求」と、「要求」である点で共通する。
エ　引用発明は、「ＵＥ１０２は、ＬＰＰ／ＬＰＰｅ要求支援データメッセージ４０２をロケーションサーバ１３０に送り、要求支援データメッセージ４０２に応答して、ロケーションサーバ１３０は」、「アクセスポイント（ＡＰ）支援データを提供」するものであり、その「ＷＬＡＮ ＡＰ支援データ」は「ＷＬＡＮ ＡＰのロケーション」を含むものである。
　そうすると、引用発明は、「ＵＥ１０２」が「ＬＰＰ／ＬＰＰｅ要求支援データメッセージ４０２をロケーションサーバ１３０に送り」、その応答として「ＷＬＡＮ ＡＰのロケーション」を得るものであるから、「ＵＥ１０２」が「ロケーションサーバ１３０に送」る「ＬＰＰ／ＬＰＰｅ要求支援データメッセージ４０２」は、「ＷＬＡＮ ＡＰのロケーション」を要求するものであるといえる。
　ここで、引用発明では、「ワイヤレスローカルエリアネットワーク（ＷＬＡＮ）アクセスポイント」には「第１のＷＬＡＮアクセスポイント１４０および第２のＷＬＡＮアクセスポイント１４２」が含まれるから、「ＷＬＡＮ ＡＰのロケーション」には、「第２のＷＬＡＮアクセスポイント１４２」のロケーションが含まれる。そして、「第２のＷＬＡＮアクセスポイント１４２」のロケーションは、「第２のＷＬＡＮアクセスポイント１４２」の位置情報に他ならない。
　よって、引用発明における、「ＬＰＰ／ＬＰＰｅ要求支援データメッセージ４０２」が、「第２のＷＬＡＮアクセスポイント１４２」のロケーションを要求するものであることは、上記イ及びウを踏まえると、本願発明１の「前記ＬＣＩ要求は前記第２の局に対応する位置情報の位置要求の指示を有」することと、「前記要求は前記第２の局に対応する位置情報の位置要求の指示を有」する点で共通する。
オ　引用発明では、「要求支援データメッセージ４０２に応答して、ロケーションサーバ１３０は、基準点情報を持つ支援データを含むＬＰＰ／ＬＰＰｅ提供支援データメッセージ４０４を送り、アクセスポイント（ＡＰ）支援データを提供し」、「移動体デバイス１０２は」「支援データ１３４を受信」するが、引用発明では「電子デバイス８００は、移動体デバイス１０２、ＵＥ１０２に対応」し、また、「プロセッサ８１０を備えた電子デバイス８００」において、「プロセッサ８１０は、基準点ロケータ８８８、ＬＰＰ／ＬＰＰｅエンジン８８０を備え」、「ＬＰＰ／ＬＰＰｅエンジン８８０は、ＬＰＰ／ＬＰＰｅ通信プロトコルを介して、遠隔ロケーションサーバとの通信を可能にするように構成され」、「デバイス８００により」、「ロケーションサーバ１３０のようなロケーションサーバから受信される提供支援データメッセージ４０４を処理するように構成され」、「基準点ロケータ８８８は、支援データ２０４を受信」するものである。
　そうすると、引用発明は、「移動体デバイス１０２」「に対応」する「電子デバイス８００」が備える「プロセッサ８１０」が、「基準点ロケータ８８８、ＬＰＰ／ＬＰＰｅエンジン８８０を備え」、「ＬＰＰ／ＬＰＰｅエンジン８８０は、ＬＰＰ／ＬＰＰｅ通信プロトコルを介して、遠隔ロケーションサーバとの通信を可能にするように構成され」、「デバイス８００により」、「ロケーションサーバ１３０のようなロケーションサーバから受信される提供支援データメッセージ４０４を処理するように構成され」、「基準点ロケータ８８８は、支援データ２０４を受信」することにより、「移動体デバイス１０２」が、「要求支援データメッセージ４０２に応答して、ロケーションサーバ１３０」から「送」られる、「支援データを含むＬＰＰ／ＬＰＰｅ提供支援データメッセージ４０４」「を受信」するものであるといえ、このことは、上記アを踏まえると、本願発明１の「前記回路は第１の局に」、「前記第２の局からＬＣＩ報告を受信させ」ることと、「前記回路は第１の局に、報告を受信させ」る点で共通する。
　ここで、引用発明における、「要求支援データメッセージ４０２に応答して、ロケーションサーバ１３０」から「送」られる、「支援データを含むＬＰＰ／ＬＰＰｅ提供支援データメッセージ４０４」が、本願発明１の「ＬＣＩ報告」と、「報告」である点で共通する。
カ　引用発明では、「基準点情報を持つ支援データを含むＬＰＰ／ＬＰＰｅ提供支援データメッセージ４０４」は、「基準点に対するＷＬＡＮ ＡＰのロケーションの不確実性」「を提供する“relative-location”ＩＥ、を含」んでいる。
　ここで、引用発明では、「支援データ１３４」は「基準点Ｄ１５６のような第１の基準点に対するアクセスポイント１４０および１４２に関する情報を含む」から、上記「基準点」には「基準点Ｄ１５６」が含まれており、その「第４の基準点“Ｄ”１５６は、第１のＷＬＡＮアクセスポイント１４０と同じ場所に位置付けられて」いるものである。また、上記「ＷＬＡＮ ＡＰ」には「アクセスポイント」「１４２」が含まれる。
　そして、引用文献Ａの「[0050] ・・・any uncertainty (e.g. possible error) in this location ・・・」（【００４１】・・・このロケーションにおける何らかの不確実性（例えば、可能性ある誤差）・・・）という記載からすると、引用発明におけるロケーションの「不確実性」とは、例えばロケーションの「誤差」のことを意味していると解される。
　そうすると、引用発明において、「基準点情報を持つ支援データを含むＬＰＰ／ＬＰＰｅ提供支援データメッセージ４０４」に含まれる、「基準点に対するＷＬＡＮ ＡＰのロケーションの不確実性」「を提供する“relative-location”ＩＥ」は、「第１のＷＬＡＮアクセスポイント１４０と同じ場所に位置付けられて」いる「基準点Ｄ１５６」に対する「アクセスポイント」「１４２」のロケーションの誤差「を提供する“relative-location”ＩＥ」であるといえる。この点について、引き続きキで検討する。
キ　引用発明の「第１のＷＬＡＮアクセスポイント１４０」は、「第２のＷＬＡＮアクセスポイント１４２」と異なるＷＬＡＮアクセスポイントであって、上記イを踏まえると、本願発明１の「前記第２の局と異なる第３の局」に相当する。
　そして、引用発明における、「第１のＷＬＡＮアクセスポイント１４０と同じ場所に位置付けられて」いる「基準点Ｄ１５６」は、本願発明１における、「前記第２の局と異なる第３の局に対応」する「原点」に相当する。
　また、引用発明における、その「基準点Ｄ１５６」に対する「アクセスポイント」「１４２」のロケーションの誤差は、上記イを踏まえると、本願発明１における「原点に対する前記第２の局の位置誤差」に相当する。
　そして、引用発明における、「基準点Ｄ１５６」に対する「アクセスポイント」「１４２」のロケーションの誤差「を提供する“relative-location”ＩＥ」は、本願発明１における「原点に対する前記第２の局の位置誤差を示すよう構成される相対位置誤差部分要素」に相当する。
　よって、引用発明における、「基準点情報を持つ支援データを含むＬＰＰ／ＬＰＰｅ提供支援データメッセージ４０４」に含まれる、「第１のＷＬＡＮアクセスポイント１４０と同じ場所に位置付けられて」いる「基準点Ｄ１５６」に対する「アクセスポイント」「１４２」のロケーションの誤差「を提供する“relative-location”ＩＥ」は、上記オを踏まえると、本願発明１の「前記ＬＣＩ報告は、原点に対する前記第２の局の位置誤差を示すよう構成される相対位置誤差部分要素を含み、前記原点は前記第２の局と異なる第３の局に対応」することと、「前記報告は、原点に対する前記第２の局の位置誤差を示すよう構成される相対位置誤差部分要素を含み、前記原点は前記第２の局と異なる第３の局に対応」する点で共通する。
ク　引用発明では、「移動体デバイス１０２はアクセスポイントのロケーションおよび送信特性を含む組み合わせられたデータを使用して」、「移動体デバイス１０２」の「相対ロケーション」を決定しているところ、「アクセスポイントのロケーションおよび送信特性を含む組み合わせられたデータ」には、上記カに記載した、「第１のＷＬＡＮアクセスポイント１４０と同じ場所に位置付けられて」いる「基準点Ｄ１５６」に対する「アクセスポイント」「１４２」のロケーションの誤差、が含まれる。
　また、引用発明の「移動体デバイス１０２」は、「移動体デバイス１０２」「に対応」する「電子デバイス８００」が備える「プロセッサ８１０」により各種の動作を行っているから、「移動体デバイス１０２」が「移動体デバイス１０２」の「相対ロケーション」を決定することも、「移動体デバイス１０２」「に対応」する「電子デバイス８００」が備える「プロセッサ８１０」が行っていることは明らかである。
　そうすると、引用発明における、「移動体デバイス１０２」が、「移動体デバイス１０２」「に対応」する「電子デバイス８００」が備える「プロセッサ８１０」により、「第１のＷＬＡＮアクセスポイント１４０と同じ場所に位置付けられて」いる「基準点Ｄ１５６」に対する「アクセスポイント」「１４２」のロケーションの誤差、が含まれる「アクセスポイントのロケーションおよび送信特性を含む組み合わせられたデータを使用して」、「移動体デバイス１０２」の「相対ロケーション」を決定することは、上記ア及びキを踏まえると、本願発明１における、「前記回路は第１の局に」、「前記位置誤差に少なくとも部分的に基づき前記第１の局の位置を推定させる」ことに相当する。
　したがって、本願発明１と引用発明との間には、次の一致点、相違点があるといえる。
（一致点）
「回路を含む装置であって、前記回路は第１の局に、
　要求を送信させ、前記要求は前記第２の局に対応する位置情報の位置要求の指示を有し、
　報告を受信させ、前記報告は、原点に対する前記第２の局の位置誤差を示すよう構成される相対位置誤差部分要素を含み、前記原点は前記第２の局と異なる第３の局に対応し、
　前記位置誤差に少なくとも部分的に基づき前記第１の局の位置を推定させる、
　装置。」
（相違点）
（相違点１）
　「第１の局」が、「原点に対する前記第２の局の位置誤差を示すよう構成される相対位置誤差部分要素を含み、前記原点は前記第２の局と異なる第３の局に対応」する「報告を受信」するために、「要求を送信」するにあたって、
　本願発明１では、第１の局は、「第２の局へ」要求を送信し、「前記第２の局から」報告を受信するのに対して、
　引用発明では、ＵＥ１０２（移動体デバイス１０２）は、「ロケーションサーバ１３０に」ＬＰＰ／ＬＰＰｅ要求支援データメッセージ４０２を送り、「ロケーションサーバ１３０」からＬＰＰ／ＬＰＰｅ提供支援データメッセージ４０４を受信する点。
（相違点２）
　本願発明１では、要求が「ＬＣＩ（Location　Configuration　Information）要求」で、報告が「ＬＣＩ報告」であるのに対して、
　引用発明では、要求が「ＬＰＰ／ＬＰＰｅ要求支援データメッセージ４０２」で、報告が「ＬＰＰ／ＬＰＰｅ提供支援データメッセージ４０４」である点。
（２）相違点についての判断
　上記相違点１について検討する。
ア　引用発明について
　引用発明は、引用文献Ａの[0005]（【０００５】）に記載されるように、「異なるタイプのロケーション関連情報（例えば、基地局のロケーション、Ｗｉ−Ｆｉアクセスポイントのロケーション）とともに、異なるタイプのマップデータは、異なる情報プロバイダにより、異なる独占的レイアウトおよびデータ構造を使用して提供され」るような場合に、「移動体デバイスは、基地局のポジションをＷｉ−Ｆｉアクセスポイントのポジションと関係付けることができない」、「基地局またはＷｉ−Ｆｉアクセスポイントのポジションを、信号がどのように検出または測定されるかに影響を与えるかもしれない物理的なオブジェクトまたは構造（例えば、建物、壁、フロア）と関連付けることができない」ことを課題にするものであって、「共通基準点に基づいて、ロケーションデータの第１のセットをロケーションデータの第２のセットと空間的に調整して、第１の情報を第２の情報と関係付ける」（[0007]（【０００７】））ためのものである。
　したがって、引用発明において、「移動体デバイス１０２は、ロケーションサーバ１３０とのロケーションセッション１３２を介して、地理的なデータおよび／または支援データ１３４のような、情報を受信するように構成されて」（[0041]（【００３２】））いるのは、共通基準点のような情報をロケーションサーバ１３０において集中的に管理する必要があるからと解されるところ、「基準点Ｄ１５６」に対する「アクセスポイント」「１４２」のロケーションの誤差の情報を取得するために要求する、「ＬＰＰ／ＬＰＰｅ要求支援データメッセージ４０２」を、「ロケーションサーバ１３０」に対してではなく、「アクセスポイント」「１４２」自身に対して送信して、「アクセスポイント」「１４２」自身から、「基準点Ｄ１５６」に対する「アクセスポイント」「１４２」のロケーションの誤差の情報を取得する構成に変更することに、動機づけを見出すことができない。
イ　引用文献Ｂについて
　引用文献Ｂに記載された周知技術は、要求局（本願発明１の「第１の局」に相当）から報告局（「第２の局」に相当）に「Remote LCI」要求（「ＬＣＩ要求」に相当）を送信すると、その要求を受信した報告局（第２の局）が、報告局（第２の局）の位置を示すＬＣＩ報告を要求局（第１の局）に応答するものであるが、報告局（第２の局）の位置とは、引用発明でいうところの「基準点Ｄ１５６に対する」報告局の位置ではなく、また、その位置の誤差を報告するものでもない。
　そして、第２の局の位置を示すＬＣＩ報告をするのを、第１の局が第２の局に要求するのが周知技術であったとしても、第２の局と異なる第３の局に対応する原点に対する第２の局の位置誤差を示すＬＣＩ報告をするのも、同様に第１の局が第２の局に要求するようにすることに、動機づけを見出すことはできない。
　したがって、引用文献Ｂに記載された周知技術は、引用発明において、「基準点Ｄ１５６」に対する「アクセスポイント」「１４２」のロケーションの誤差の情報を取得するのに、「アクセスポイント」「１４２」自身に対して要求することを動機づけるものではない。
ウ　引用文献Ｃについて
　引用文献Ｃに記載された技術的事項における「基地局のエリア情報」は、「基地局の位置」と「基地局の位置の誤差に関する情報」であるが、「基地局の位置」は、引用発明でいうところの「基準点Ｄ１５６に対する」位置のようなものではない。また、「基地局のエリア情報」は、ネットワークに要求してネットワークから取得するものであって、取得したい「基地局のエリア情報」の対象の基地局を特定した上で、その基地局自身に対して要求して取得するものではない。
　したがって、引用文献Ｃに記載された技術的事項は、引用発明において、「基準点Ｄ１５６」に対する「アクセスポイント」「１４２」のロケーションの誤差の情報を取得するのに、「アクセスポイント」「１４２」自身に対して要求することを動機づけるものではない。
エ　引用文献Ｄについて
　引用文献Ｄに記載された周知技術は、ＬＣＩに、緯度、経度、高度の位置情報とともに、誤差の量である不確かさを含め、また、ＤＨＣＰクライアントが要求したときのみ、ＤＨＣＰサーバーからＬＣＩが返信されるものであるが、引用文献Ｄでの位置情報は、ＤＨＣＰクライアントの位置情報であって、引用発明でいうところの「基準点Ｄ１５６」に対する「アクセスポイント」「１４２」のロケーションではなく、また、ＬＣＩの要求先も、引用文献ＤではＤＨＣＰサーバーであって、引用発明でいうところの「アクセスポイント」「１４２」ではない。
　したがって、引用文献Ｄに記載された周知技術は、引用発明において、「基準点Ｄ１５６」に対する「アクセスポイント」「１４２」のロケーションの誤差の情報を取得するのに、「アクセスポイント」「１４２」自身に対して要求することを動機づけるものではない。
オ　よって、相違点１に係る本願発明１の構成は、引用文献Ａ−Ｄに基づいて当業者が容易に想到できた構成であるとはいえず、また、本願優先日前において周知技術であるともいえない。
（３）したがって、相違点２について判断するまでもなく、本願発明１は、当業者であっても引用文献Ａ−Ｄに基づいて容易に発明できたものであるとはいえない。
２．本願発明２−７について
　本願発明２−７は、本願発明１を減縮した発明であり、相違点１に係る本願発明１の構成と同一の構成を備えるものであるから、本願発明１と同じ理由により、当業者であっても、引用文献Ａ−Ｄに基づいて容易に発明できたものとはいえない。
３．本願発明８について
　本願発明８は、本願発明１に対応するコンピュータプログラムの発明であり、本願発明１の上記相違点１に係る構成に対応する構成を備えるものであるから、本願発明１と同様の理由により、当業者であっても、引用文献Ａ−Ｄに基づいて容易に発明できたものとはいえない。
４．本願発明９−１２、２０について
　本願発明９−１２、２０は、本願発明８を減縮した発明であり、本願発明８の、本願発明１の上記相違点１に係る構成に対応する構成、と同一の構成を備えるものであるから、本願発明８と同じ理由により、当業者であっても、引用文献Ａ−Ｄに基づいて容易に発明できたものとはいえない。
５．本願発明１３について
　本願発明１３は、アクセスポイント（ＡＰ）において実行される方法の発明であり、本願発明１の上記相違点１に係る構成に対応する、「モバイル装置から」「要求を受信するステップ」及び「前記」「要求に応答して、前記モバイル装置へ」「報告を送信するステップと、を有する方法」が「アクセスポイント（ＡＰ）において実行され」、「前記」「報告は、原点に対する前記ＡＰの位置誤差を示すよう構成される相対位置誤差部分要素を含み、前記原点は前記ＡＰと異なる局に対応する」、という構成を備えるものであるから、本願発明１と同様の理由により、当業者であっても、引用文献Ａ−Ｄに基づいて容易に発明できたものとはいえない。
６．本願発明１４−１９、２１について
　本願発明１４−１９、２１は、本願発明１３を減縮した発明であり、本願発明１３の、本願発明１の上記相違点１に係る構成に対応する上記「５．」に記載した構成、と同一の構成を備えるものであるから、本願発明１３と同じ理由により、当業者であっても、引用文献Ａ−Ｄに基づいて容易に発明できたものとはいえない。
第７　原査定についての判断
　以上のとおりであって、本願発明１−２１は、当業者であっても、拒絶査定において引用された引用文献Ｃ、Ｄに基づいて容易に発明できたものとはいえない。したがって、原査定の理由を維持することはできない。
第８　当審拒絶理由についての判断
　以上のとおりであって、本願発明１−２１は、当業者であっても、当審拒絶理由において引用された引用文献Ａ、Ｂに基づいて容易に発明できたものとはいえない。したがって、当審拒絶理由を維持することはできない。
第９　むすび
　以上のとおり、原査定の理由、当審拒絶理由によって、本願を拒絶することはできない。
　また、他に本願を拒絶すべき理由を発見しない。
　よって、結論のとおり審決する。